(57)【要約】【課題】本発明は懸吊索式屋根形天幕に関し、夜営をしたり、物品の収納・保管をするのに用い、簡単な取り扱い操作により設営や分解が迅速かつ確実に行え、比較的多人数や大容量の物品を収容可能であり、日照や風雨を防ぐものである。【解決手段】天幕本体は、切妻屋根形また寄せ棟屋根形の屋根部と、側壁部６Ａ,６Ｂ；６Ｃ,６Ｄとで形成され、支柱は、棟４ａの外端部を支持する２本の棟支柱７,７であり、側壁部の四隅と略等間隔Ｌ１に立設される側壁支柱８により屋根部を支持し、棟支柱の上部間に懸吊索９が張設され、引綱５は、棟の外端部に一端５Ａ１が取付けられて他端５Ａ２は地面２に螺入されたねじ杭１０に固定された棟張綱５Ａと、軒先部Ｎ,Ｎに一端５Ｂ１が取付けられ、他端５Ｂ2は杭１０′に固定されて対設され、側壁支柱と側壁部に外方向に張力を与える軒引綱５Ｂとで構成される。【選択図】図１
2008101375.tif 000002
【特許請求の範囲】
【請求項１】
間隔をあけて地面に立設した２本の支柱により天幕本体の屋根部の頂上部での棟を支持するとともに、前記天幕本体を引綱を介して張設する屋根形天幕において、
前記天幕本体は、切妻屋根形、または寄せ棟屋根形に形成される前記屋根部と、および該屋根部の下方の周囲を囲む側壁部とにより形成され、
前記支柱は、前記棟の外端部を間隔をあけて支持する長さが長い２本の棟支柱であり、前記側壁部の四隅、並びに略等間隔毎に立設される短い長さの側壁支柱により前記屋根部は支持されるとともに前記側壁部は張設され、
前記棟支柱の上部と前記棟の間には懸吊索が張設され、
前記引綱は、前記棟支柱にて支持された前記屋根部の頂上における棟の外端部に一端が取付けられて他端はねじ杭が地面に螺入されることにより前記屋根部の前記棟に外方向に張力を与える複数本の棟張綱と、前記屋根部の傾斜最低部と前記側壁部の上端部とが交わる軒先部に少なくとも一端が取付けられ、他端は杭が地面に打ち込まれることにより長手方向に所望間隔に対設され、左右の前記側壁支柱、および側壁部に外方向に張力を与える軒引綱とで構成されることを特徴とする懸吊索式屋根形天幕。
【請求項２】
前記棟支柱が、上部支柱部と、該上部支柱部の下端に接続可能に、かつ分離可能に接続手段を介して接続される下部支柱部とから構成されることを特徴とする請求項１記載の懸吊索式屋根形天幕。
【請求項３】
前記棟支柱が、屋根部の棟の外端部に設けた金環内に突出されるピン体を上端に設けたことを特徴とする請求項１または２記載の懸吊索式屋根形天幕。
【請求項４】
前記接続手段が、前記上部支柱部の下端内に先細りに設けられた雌状孔と、該雌状孔内に挿脱可能に挿入され前記下部支柱部の上端に先細りに設けられた雄状挿入部と、前記雌状孔内に挿入される前記雄状挿入部に外部から先端部が当接する止ねじと、からなる請求項１−３の何れかに記載の懸吊索式屋根形天幕。
【請求項５】
前記懸吊索が、２本の前記棟支柱の上部間に張設される横索と、該横索と前記棟との間に懸吊される複数本の縦索とで形成されることを特徴とする請求項１−４の何れかに記載の懸吊索式屋根形天幕。
【発明の詳細な説明】
【技術分野】
【０００１】
本発明は懸吊索式屋根形天幕に関し、夜営をしたり、または、物品を収納・保管をするのに用い、簡単な取り扱い操作により設営や分解が迅速かつ確実に行え、比較的多人数と、また、大容積に物品を収容可能であり、日照や風雨を防ごうとするものである。
【背景技術】
【０００２】
従来、設営が容易なタープテントには、耐候性に優れた生地よりなる多角形、例えば平面略四角形のテント本体の対角線上の２つの角部を地面に立設した２本のポールにより支持すると共に、テント本体の残りの２つの角部をロープを介してペグ（杭体）により地面に固定し、全体を張設するようにしたことにより、設営を容易にするものがあった。そして、日照や風雨を防ごうとするものであった（例えば特許文献１参照。）。
【特許文献１】実開平５−８９７３３号公報
【発明の開示】
【発明が解決しようとする課題】
【０００３】
しかしながら、特許文献１記載の上記従来のタープテントは、多角形、例えば平面略四角形のテント本体の対角線上の２つの角部を地面に立設した２本のポールにより支持すると共に、テント本体の残りの２つの角部をロープを介してペグ（杭体）により地面に固定し、全体を張設するものであるので、２本のポールを用いて平面略四角形のテント本体を張設すると、この２本のポールを用いて張設されるテント本体の対角線上の２つの角部と、ロープを介してペグ（杭体）により地面に固定した残りの２つの角部との間に位置するテント本体の下縁部は、地面との間に大きな間隙が形成されているため、テント本体の外部からの通風性は良いが、強風に対して強度に欠け、テントが風に煽られて倒壊する等、強度が弱かった。また、日照を防ぐのに小面積で不充分であり、また、雨や雪が吹き込み易く、しかも、冬季等においてはまともに寒風や雪がテント内に入り込み易く、暖に欠け、さらには、テント内への収容人数も小人数であり、簡易で小規模のものに限られていた。
【０００４】
本発明は上記従来のテントの欠点を解決するとともに、日照や雨雪を防ぐのに充分であり、冬季においては、寒風がテント内に侵入し難く、充分な暖を採れ、また、強風に対する倒壊を予防して強度が向上して構造堅牢になり、また、テント内の収容人数は比較的多数人であり、しかも、大容量に物品を収容でき、さらには、構造が簡単で部品数が少なく、組立操作および分解操作が容易かつ迅速に行えるとともに、運搬および保管が容易になる懸吊索式屋根形天幕を提供することを目的とする。
【課題を解決するための手段】
【０００５】
本発明の請求項１に記載の発明は、間隔をあけて地面に立設した２本の支柱により天幕本体の屋根部の頂上部での棟を支持するとともに、前記天幕本体を引綱を介して張設する屋根形天幕において、
前記天幕本体は、切妻屋根形、または寄せ棟屋根形に形成される前記屋根部と、および該屋根部の下方の周囲を囲む側壁部とにより形成され、
前記支柱は、前記棟の外端部を間隔をあけて支持する長さが長い２本の棟支柱であり、前記側壁部の四隅、並びに略等間隔毎に立設される短い長さの側壁支柱により前記屋根部は支持されるとともに前記側壁部は張設され、
前記棟支柱の上部と前記棟の間には懸吊索が張設され、
前記引綱は、前記棟支柱にて支持された前記屋根部の頂上における棟の外端部に一端が取付けられて他端はねじ杭が地面に螺入されることにより前記屋根部の前記棟に外方向に張力を与える複数本の棟張綱と、前記屋根部の傾斜最低部と前記側壁部の上端部とが交わる軒先部に少なくとも一端が取付けられ、他端は杭が地面に打ち込まれることにより長手方向に所望間隔に対設され、左右の前記側壁支柱、および側壁部に外方向に張力を与える軒引綱とで構成されることを特徴とする。
【０００６】
また、本発明の請求項２に記載の発明は、請求項１において、前記棟支柱が、上部支柱部と、該上部支柱部の下端に接続可能に、かつ分離可能に接続手段を介して接続される下部支柱部とから構成されることを特徴とする。
【０００７】
また、本発明の請求項３に記載の発明は、請求項１または２において、前記棟支柱が、屋根部の棟の外端部に設けた金環内に突出されるピン体を上端に設けたことを特徴とする。
【０００８】
また、本発明の請求項４に記載の発明は、請求項１−３の何れかにおいて、前記接続手段が、前記上部支柱部の下端内に先細りに設けられた雌状孔と、該雌状孔内に挿脱可能に挿入され前記下部支柱部の上端に先細りに設けられた雄状挿入部と、前記雌状孔内に挿入される前記雄状挿入部に外部から先端部が当接する止ねじと、からなる。
【０００９】
また、本発明の請求項５に記載の発明は、請求項１−４の何れかにおいて、前記懸吊索が、２本の前記棟支柱の上部間に張設される横索と、該横索と前記棟との間に懸吊される複数本の縦索とで形成されることを特徴とする。
【発明の効果】
【００１０】
本発明の請求項１に記載の発明によれば、間隔をあけて地面に立設した２本の支柱により天幕本体の屋根部の頂上部での棟を支持するとともに、前記天幕本体を引綱を介して張設する屋根形天幕において、前記天幕本体は、切妻屋根形、または寄せ棟屋根形に形成される前記屋根部と、および該屋根部の下方の周囲を囲む側壁部とにより形成され、前記支柱は、前記棟の外端部を間隔Ｌをあけて支持する長さが長い２本の棟支柱であり、前記側壁部の四隅、並びに略等間隔毎に立設される短い長さの側壁支柱により前記屋根部は支持されるとともに前記側壁部は張設され、前記棟支柱の上部と前記棟の間には懸吊索が張設され、前記引綱は、前記支柱にて支持された前記屋根部の頂上における棟の外端部に一端が取付けられて他端は杭が地面に打ち込まれることにより前記屋根部の前記棟に外方向に張力を与える複数本の棟張綱と、前記屋根部の傾斜最低部と前記側壁部の上端部とが交わる軒先部に少なくとも一端が取付けられ、他端は杭が地面に打ち込まれることにより長手方向に所望間隔に対設され、左右の前記側壁支柱、および側壁部に外方向に張力を与える軒引綱とで構成されることを特徴とするので、日照や雨雪を防ぐのに充分であり、冬季においては、寒風がテント内に侵入し難く、充分な暖を採れ、また、強風に対する倒壊を予防して強度が向上して構造堅牢になり、また、テント内の収容人数は比較的多数人を収容できたり、大容量の物品を収容・保管でき、さらには、構造が簡単で部品数が少なく、組立操作および分解操作が容易かつ迅速に行えるとともに、運搬および保管が容易になる。
【００１１】
また、本発明の請求項２に記載の発明によれば、請求項１において、前記棟支柱が、上部支柱部と、該上部支柱部の下端に接続可能に、かつ分離可能に接続手段を介して接続される下部支柱部とから構成されることを特徴とするので、使用時での支柱の組立、および不使用時での分解が容易であり、運搬、保管も容易になる。
【００１２】
また、本発明の請求項３に記載の発明によれば、請求項１または２において、前記棟支柱が、屋根部の棟の外端部に設けた金環内に突出されるピン体を上端に設けたことを特徴とするので、使用時での天幕本体に対する支柱の組立、および不使用時での分解が容易になる。
【００１３】
また、本発明の請求項４によれば、請求項１−３の何れかにおいて、前記接続手段が、前記上部支柱部の下端内に先細りに設けられた雌状孔と、該雌状孔内に挿脱可能に挿入され前記下部支柱部の上端に先細りに設けられた雄状挿入部と、前記雌状孔内に挿入される前記雄状挿入部に外部から先端部が当接する止ねじと、からなるので、使用時での支柱の組立、および不使用時での分解が容易かつ確実になる。
【００１４】
また、本発明の請求項５によれば、請求項１−４の何れかにおいて、前記懸吊索が、２本の前記棟支柱の上部間に張設される横索と、該横索と前記棟との間に懸吊される複数本の縦索とで形成されることを特徴とするので、屋根部を張設するには容易な取り扱い作業により迅速に２本の支柱間に張設することができるとともに、懸吊索式屋根形天幕を張設後には、屋根部が暴風による強い風圧を受けても吹き飛ばされることなく、また、雨雪の荷重を受けて屋根部が潰れることなく、構造堅牢に２本の支柱間に懸吊することができる。
【発明を実施するための最良の形態】
【００１５】
以下図面に従い、本発明を実施するための最良の形態につき詳細を説明する。
【００１６】
図１は本発明の懸吊索式屋根形天幕の実施形態１を示し、設営した状態の斜視図、図２は本実施形態１の懸吊索式屋根形天幕を設営するのに使用する棟支柱を示す側面図、図３は同じく本実施形態１の懸吊索式屋根形天幕を設営するのに使用する棟支柱を構成する上部支柱を示す拡大一部断面図、図４は同じく本実施形態１の懸吊索式屋根形天幕を設営するのに使用する棟支柱を構成する下部支柱を示す拡大一部断面図、図５は本実施形態１を構成する側壁支柱を示す部分拡大断面図、図６は同じく側壁支柱の拡大平面図、図７は本実施形態１の懸吊索式屋根形天幕を設営するのに際し、天幕、および引綱を展開した状態の平面図、図８は同じく棟引綱をねじ杭に引掛けた状態の平面図、図９は同じく屋根部の下面に棟支柱を差し入れる状態の斜視図である。
【００１７】
本実施形態１は、間隔Ｌをあけて地面２に立設した２本の支柱３,３により天幕本体１の屋根部４の頂上部での棟４ａを支持するとともに、前記天幕本体１を引綱５を介して張設する屋根形天幕において、前記天幕本体１は、切妻屋根形に形成される前記屋根部４と、および該屋根部４の下方の周囲を囲む側壁部６Ａ,６Ｂ；６Ｃ,６Ｄとにより形成され、前記支柱３,３は、前記棟４ａの外端部を間隔Ｌをあけて支持する長さが長い２本の棟支柱７,７であり、前記側壁部６Ａ,６Ｂ；６Ｃ,６Ｄの四隅、並びに略等間隔Ｌ１毎に立設される短い長さの側壁支柱８により前記屋根部４は支持されるとともに前記側壁部６Ａ,６Ｂ；６Ｃ,６Ｄは張設され、前記棟支柱７,７の上部と前記棟４ａの間には懸吊索９が張設され、前記引綱５は、前記支柱３,３にて支持された前記屋根部４の頂上における棟４ａの外端部に一端５Ａ１が取付けられて他端５Ａ２はねじ杭１０が地面２に螺入されることにより前記屋根部４の前記棟４ａに外方向に張力を与える複数本の棟張綱５Ａと、前記屋根部４の傾斜最低部４ｂ,４ｂと前記側壁部６Ａ,６Ｂ；６Ｃ,６Ｄの上端部とが交わる軒先部Ｎ,Ｎに少なくとも一端５Ｂ１が取付けられ、他端５Ｂ2は杭１０′が地面２に打ち込まれることにより長手方向Ｉに所望間隔に対設され、左右の前記側壁支柱８,８、および側壁部６Ａ,６Ｂ；６Ｃ,６Ｄに外方向に張力を与える軒引綱５Ｂとで構成されることを特徴とする。
【００１８】
前記棟支柱７が、上部棟支柱部７Ａと、該上部棟支柱部７Ａの下端に接続可能に、かつ分離可能に接続手段１１を介して接続される下部棟支柱部７Ｂとから構成される。このように、棟支柱７を上部棟支柱部７Ａと、下部棟支柱部７Ｂとから構成したのは、使用時での長い長さの支柱３の組立、および不使用時での分解が容易であり、運搬、保管も容易にするためである。
【００１９】
懸吊索式屋根形天幕の左右に配置される前記側壁部６Ａ,６Ｂは、設営時には長手方向Ｉに対向され、正面略矩形に形成される。また、懸吊索式屋根形天幕の前後に配置される前記側壁部６Ｃ,６Ｄは、正面五角形に形成され、左右両端を前記側壁部６Ａ,６Ｂに連設されている。このうち、前記側壁部６Ａ,６Ｂの何れか一方には縦方向にスリットＳを入れる等することによって入口部Ｄが形成される。なお、スリットＳの設置個数、および設置個数は、図には示さないが、前記側壁部６Ａ,６Ｂの何れかに限定するものではなく、側壁部６Ｃ,６Ｄの何れか一方または双方に設けるものであってもよい。
【００２０】
前記懸吊索９が、２本の前記棟支柱７,７の上部間に張設される横索９Ａと、該横索９Ａと前記棟４ａとの間に懸吊される複数本の縦索９Ｂとで形成される。９′は２本の前記棟支柱７,７の上部間に張設される緊定索である。
【００２１】
１２は前記棟支柱７の上端部、すなわち、上部棟支柱部７Ａの上端部に設けられたピン体であり、このピン体１２は屋根部４の棟４ａの外端部に設けた金環１３,１３内に突出されることにより、使用時での天幕本体１に対する棟支柱７の組立、および不使用時での分解が容易になる。
【００２２】
前記接続手段１１が、前記上部棟支柱部７Ａの下端内に内周斜面部１４ａを有する先細りに設けられた雌状孔１４と、該雌状孔１４内に挿脱可能に挿入され前記下部棟支柱部７Ｂの上端に外周斜面部１５ａを有する先細りに設けられた雄状挿入部１５と、前記雌状孔１４内に挿脱可能に挿入される前記雄状挿入部１５に外部から先端部１６ａが当接される止めねじ１６と、からなるので、使用時での支柱３の組立、および不使用時での支柱３の分解が容易かつ確実になる。
【００２３】
本実施形態１の懸吊索式屋根形天幕は以上の構成からなり、野外での設営を行うのには、先ず、野外の設営個所に天幕本体１を組立し易いように屋根部４を四方に展開しておくとともに、棟張綱５Ａ,５Ａ；５Ａ,５Ａを屋根部４の対角線方向に伸長しておく（図７参照）。
【００２４】
次いで、天幕本体１の棟４ａの延長線Ｊ上において、この延長線Ｊから図において上下に交差する線Ｑ上に数ｍ、例えば標準体格の大人の歩幅で５歩の距離と前記棟張綱５Ａ,５Ａ；５Ａ,５Ａとが交差する位置に４本のねじ杭１０の先端部を螺入する。この際、ねじ杭１０を地面２に螺入するのには、ねじ杭１０の上端に設ける図示しない取付部にハンドル杆を横方向に挿入した上で２人でねじ杭１０を中心にハンドル杆にて水平方向に回動させることにより、ねじ杭１０を地面２に所望深さ迅速かつ確実に螺入することができる。
【００２５】
このねじ杭１０,１０；１０,１０には、前記屋根部４の頂上における棟４ａの前後の外端部に一端５Ａ１が取付けられた複数本、例えば屋根部４に対して前後２本づつの棟張綱５Ａ,５Ａ；５Ａ,５Ａを伸ばし、該棟張綱５Ａ,５Ａ；５Ａ,５Ａの他端５Ａ２を前記ねじ杭１０,１０；１０,１０に掛けておく（図８参照）。
【００２６】
それから、上部棟支柱部７Ａの下端内に設けた雌状孔１４内に挿脱可能に挿入され下部支柱部７Ｂの上端に設けた先細りの雄状挿入部１５を挿入し、外部から止めねじ１６の先端部１６ａを雄状挿入部１５に当接することにより、上部支柱部７Ａと、下部支柱部７Ｂとが接続された２本の棟支柱７を用意しておく。
【００２７】
その後、天幕本体１の前後の下方部から２本の棟支柱７,７の先端部を差し込み、棟支柱７の上端部に設けられたピン体１２を屋根部４の棟４ａの外端部に設けた金環１３,１３内に突出することにより、天幕本体１を持ち上げるようにして２本の棟支柱７,７を支台Ｏ上に間隔Ｌを開けて略垂直に立設して建て込む（図９参照）。
【００２８】
また、周囲の側壁部６Ａ,６Ｂ；６Ｃ,６Ｄの四隅、並びに略等間隔Ｌ１毎に、本実施形態１では２本、片側４本づつ、全体で合計８本の短い長さの側壁支柱８をピン体１２を金環１３内に突出することにより建て込み、この側壁支柱８にて屋根部４の軒先部Ｎ,Ｎを下面から支持する。そして、側壁部６Ａ,６Ｂに沿って片側７本、両側で合計１４本の杭１０′を打撃具にて打ち込み、一端５Ｂ１が前記軒先部Ｎ,Ｎに取付けられ、他端５Ｂ２が杭１０′に掛けられている軒引綱５Ｂを緊張させることにより側壁部６Ａ,６Ｂ；６Ｃ,６Ｄを張設する。なお、軒引綱５Ｂの張力を加減するのに、図には示さないが、ターンバックルを用いることにより張力を調整するようにしてもよい。
【００２９】
このようにして造設された本実施形態１の懸吊索式屋根形天幕は、２本の棟支柱７,７間において屋根部４の頂上部における棟４ａに張りをもたせるための合計４本の棟張綱５Ａ,５Ａ；５Ａ,５Ａは、棟４ａの外端部を頂点とし、棟４ａの延長線Ｊ上において、この延長線Ｊから図において上下に交差する線Ｑ上に数ｍ、例えば標準体格の大人の歩幅で５歩の距離と交差する位置に螺入した４本のねじ杭１０に一端５Ａ２が取付けられていることにより対角線方向へ四方へと緊張されるので、均等に４本の棟張綱５Ａ,５Ａ；５Ａ,５Ａに張力が働くように緊張すれば、切妻屋根形の屋根部４は、強風や暴風雨に対してめくれ上がって吹き飛ばされたり、倒壊することがなく、充分な強度の構造堅牢な屋根部４を設営することができる。
【００３０】
しかも、本実施形態１の懸吊索式屋根形天幕では、２本の棟支柱７,７の上部と前記棟４ａの間には緊定綱９′と一緒に、横索９Ａと、該横索９Ａと前記棟４ａとの間に懸吊される複数本の縦索９Ｂとよりなる懸吊索９が張設されているので、屋根部４を張設するのに容易な取り扱い作業により迅速に２本の棟支柱７,７間に張設することができるとともに、屋根形天幕を張設後には、屋根部４が暴風による強い風圧を受けても吹き飛ばされることなく、また、雨雪の荷重を受けて屋根部４が潰れることなく、構造堅牢に２本の棟支柱７,７間に切妻屋根形の屋根部４を懸吊することができる。
【００３１】
しかも、軒引綱５Ｂの他端側を平均に緊張させ、これらの軒引綱５Ｂの他端５Ｂ２を地面２に打ち込まれた片側７本づつ、合計１４本の杭１０′に強固に固定すれば切妻屋根形の屋根部４を天幕本体１の長手方向Ｉに略交差する外方向へ全体的に張力を与えて弛みを生ずるのを防止できるとともに、左右の前記側壁部６Ａ,６Ｂに外方向に張力を与えることができる。このようにして、切妻屋根形に形成される屋根部４と、および該屋根部４の下方の周囲を囲む側壁部６Ａ,６Ｂ；６Ｃ,６Ｄとにより形成される天幕の設営を簡単な取り扱い作業により構造堅牢に営むことができる。
【００３２】
このように、組上がった本実施形態１の懸吊索式屋根形天幕は、切妻屋根形に形成される屋根部４と、および該屋根部４の下方の周囲を囲む側壁部６Ａ,６Ｂ；６Ｃ,６Ｄとにより形成され、不必要な隙間を生じないので、日照や雨雪を充分に防ぐことができる。また、冬季においては、寒風がテント内に侵入し難く、充分な暖を採るのに適している。また、天幕内の収容人数は比較的多数人を収容できるとともに大容量に物品を収容したり、保管ができる。
【００３３】
また、本実施形態１の懸吊索式屋根形天幕は、前述のように、切妻屋根形に形成される屋根部４は、棟４ａの外端部を２本の棟支柱７,７にて支持され、しかも、屋根部４の頂上における棟４ａの外端部に一端５Ａ１が取付けられて他端５Ａ２はねじ杭１０が地面２に打ち込まれることにより前記屋根部４の棟４ａに複数本、前後２本づつ、合計４本の棟張綱５Ａ,５Ａ；５Ａ,５Ａにより外方向に張力を与えるのと、前記屋根部４の傾斜最低部４ｂと前記側壁部６Ａ,６Ｂの上端部とが交わる軒先部Ｎ,Ｎに一端５Ｂ１が取付けられ、他端５Ｂ２は複数本、片側７本づつ、合計１４本の杭１０′が地面２に打ち込まれることにより長手方向Ｉに対設された軒引綱５Ｂとで、左右の前記側壁部６Ａ,６Ｂに長手方向Ｉに交差する外方向に張力を与えるので、如何なる方向からの強風に対しても倒壊を予防して強度が向上され、構造堅牢な仕上がりになる。
【００３４】
また、設営された懸吊索式屋根形天幕の組立を解いて分解するのには、前述の懸吊索式屋根形天幕の組立操作と逆の手順、操作により分解を行えばよい。すなわち、杭１０′に対する複数本の軒引綱５Ｂの固定を解いて張力を緩めるとともに、ねじ杭１０に対して複数本、例えば前後２本づつ合計４本の棟張綱５Ａ,５Ａ；５Ａ,５Ａの固定を解いて張力を緩め、前後２本の棟支柱７,７を天幕本体１の棟４ａにおける前後の外端部から撤去して屋根部４に対する支持を解く。その後、天幕本体ｌを折り畳み、２本の棟支柱７,７を、上部棟支柱部７Ａと、下部棟支柱部７Ｂとに接続手段１１の止めねじ１６を緩めることにより分離する。こうして、天幕の分離操作を簡単な取り扱い操作により終える。
【００３５】
前述のように、接続した使用時における２本の棟支柱７,７を、上部棟支柱部７Ａと、下部棟支柱部７Ｂとを接続手段１１を介して分離して短くすることができるので、運搬をしたり、倉庫に保管するのに便利になる。
【００３６】
上記実施形態１では、懸吊索式屋根形天幕の屋根部４を切妻屋根形状に形成した場合を図示しているが、屋根形状は図には示すものに特定するものに限らず、本発明の趣旨を逸脱しない限り例えば寄せ棟屋根形状の場合にも本発明は適用することができる。
【産業上の利用可能性】
【００３７】
本発明は、日照や雨雪を防ぐのに充分であり、冬季においては、寒風がテント内に侵入し難く、充分な暖を採れ、また、強風に対する倒壊を予防して強度が向上して構造堅牢になり、また、テント内の収容人数は比較的多数人を収容でき、しかも、大容量の物品を収容でき、さらには、構造が簡単で部品数が少なく、組立操作および分解操作が容易かつ迅速に行えるとともに、運搬および保管が容易になるという用途・機能に適する。
【図面の簡単な説明】
【００３８】
【図１】図１は本発明の懸吊索式屋根形天幕の実施形態１を示し、設営した状態の斜視図である。
【図２】図２は本実施形態１の懸吊索式屋根形天幕を設営するのに使用する棟支柱を示す側面図である。
【図３】図３は同じく本実施形態１の懸吊索式屋根形天幕を設営するのに使用する棟支柱を構成する上部支柱を示す拡大一部断面図である。
【図４】図４は同じく本実施形態１の懸吊索式屋根形天幕を設営するのに使用する棟支柱を構成する下部支柱を示す拡大一部断面図である。
【図５】図５は本実施形態１を構成する側壁支柱を示す部分拡大断面図である。
【図６】図６は同じく側壁支柱の拡大平面図である。
【図７】図７は本実施形態１の懸吊索式屋根形天幕を設営するのに際し、天幕、および引綱を展開した状態の平面図である。
【図８】図８は同じく棟引綱をねじ杭に引掛けた状態の平面図である。
【図９】図９は同じく屋根部の下面に棟支柱を差し入れる状態の斜視図である。
【符号の説明】
【００３９】
１      天幕本体
２      地面
３      支柱
４      屋根部
４ａ    棟
５      引綱
５Ａ    棟引綱
５Ｂ    軒引綱
６Ａ    側壁部
６Ｂ    側壁部
６Ｃ    側壁部
６Ｄ    側壁部
８      側壁支柱
９      懸吊索
１０    ねじ杭
１０′  杭
１１    接続手段
１６    止めねじ
Ｉ      長手方向
Ｎ      軒先部
【図１】
2008101375.tif 000003
【図２】
2008101375.tif 000004
【図３】
2008101375.tif 000005
【図４】
2008101375.tif 000006
【図５】
2008101375.tif 000007
【図６】
2008101375.tif 000008
【図７】
2008101375.tif 000009
【図８】
2008101375.tif 000010
【図９】
2008101375.tif 000011